(57)【要約】    【目的】ドアとドア枠との間の隙間を利用してドアが不正に開放されるのを確実に検出して警報することができ、あるいは、ドア錠に対する不正解錠も確実に検出して警報することができるドア用警報装置を提供すること。    【解決手段】ドアとドア枠との隙間を塞ぐ閉塞部材と、この閉塞部材をドアに装着するための取付部材とから構成し、取付部材はドアの表裏面にそれぞれ装着可能な表面側部材と裏面側部材とで構成とする共に、これらの表面側部材と裏面側部材とを連結するための固定部材を設けており、さらに、上記取付部材には、不正解錠を検出する異常検知手段を具備し、当該異常検知手段からの検知信号によって作動する警報手段を設けていること。    【選択図】    図３
2005120653.tif 000002
【特許請求の範囲】
【請求項１】
ドアとドア枠との隙間を塞ぐ閉塞部材と、この閉塞部材をドアに装着するための取付部材とから構成し、取付部材はドアの表裏面にそれぞれ装着可能な表面側部材と裏面側部材とで構成とする共に、これらの表面側部材と裏面側部材とを連結するための固定部材を設けており、さらに、上記取付部材には、不正解錠を検出する異常検知手段を具備し、当該異常検知手段からの検知信号によって作動する警報手段を設けていることを特徴とするドア用警報装置。
【請求項２】
上記不正解錠を検出する異常検知手段として、板状部材に対して加えられる外圧による板状部材の変形を検出するセンサーである請求項１記載のドア用警報装置。
【請求項３】
上記不正解錠を検出する異常検知手段として、ドア錠に対する不正解錠時に発生する異常音、異常振動を検出するセンサーである請求項１または２記載のドア用警報装置。
【請求項４】
上記不正解錠を検出する異常検知手段として、ドア表裏面に装着する部材を連結固定する固定部材に対して、表面側部材にかかる負荷を検出するセンサーである請求項１，２または３記載のドア用警報装置。
【請求項５】
不正解錠を検出する異常検知手段は、上記請求項２ないし４記載のセンサーのいずれかを単独で装備した構成、またはすべてのセンサーを装備した構成、あるいは複数のセンサーを組合せて装備した構成のいずれかを具備する警報装置を構成したことを特徴とする請求項１ないし４記載のドア用警報装置。
【発明の詳細な説明】
【技術分野】
【０００１】
この発明は、ドアとドア枠との隙間に工具を差し込んでデッドボルトを機能不良とすることによりドアを不正開放行為や、ドア錠に対する不正解錠行為（いわゆるピッキング）等に対してより確実に不正行為を検出して警報することができるドア用警報装置に関する。
【背景技術】
【０００２】
近年、玄関ドア等を不正開放して侵入する犯罪が頻発しているが、不正侵入の方法として、ドア錠に対して直接不正解錠（いわゆるピッキング）を行う方法や、ドアとドア枠との間に工具を差し込んで無理矢理ドア錠の機能を破壊して不正解錠を行う方法等を挙げることができる。それらの方法のうち、ドアとドア枠との間に工具を差し込んで行われる不正解錠に対しては、例えば、ドア枠との隙間をツバ状のカバーで覆う構成のものが開示されている（特許文献１の図１参照）。
【０００３】
また、ドア錠に対する不正解錠に対しては、例えば、ドアノブ全体をカバーで覆う構成のものが開示されている（特許文献２参照）。
【特許文献１】特開２００３−２０１７８６号公報
【特許文献２】特開２００２−３４９１０４号公報
【発明の開示】
【発明が解決しようとする課題】
【０００４】
しかしながら、上記ドアとドア枠との隙間をツバ状のカバーで覆う構成のものは、ドアとドア枠の隙間から工具を差し込んでドア錠のデッドボルトを無理矢理後退させて機能不良とすることにより、ドアを不正開放を行う手口に対しては有効な防止手段ではなかった。
上記不正開放を行う手口としては、ドアとドア枠との間に生じた隙間を利用して、バール等の工具を用いてドアの外側からデッドボルトを後退させて不正解錠を行うものであるが、ドアとドア枠との間には必ず隙間が生じる構造となっているので、その隙間に着目して不正侵入が行われるものであり、この隙間を塞ぐ器具としてはドア端面に装着する板状部材が提供されている。
【０００５】
ところが、このような板状部材は、ドアとドア枠との隙間を塞ぐことができるけれども、この板状部材をも変形させて不正侵入を行う行為に対しては有効に防止することができないという欠点があった。
また、ドア錠に対する不正解錠に対してドアノブ全体をカバーで覆う構成のものは、ドアノブに対してカバー状の部材が設けられているので、施錠時と解錠時には必ず当該カバーの開閉操作が伴い、日常の使用時には操作が複雑かつ面倒であるという欠点があった。
【０００６】
そこで、この発明は、ドアとドア枠との間の隙間を利用してドアが不正に開放されるのを確実に検出して警報することができ、あるいは、ドア錠に対する不正解錠も確実に検出して警報することができるドア用警報装置を提供することを目的としている。
【課題を解決するための手段】
【０００７】
上記目的を達成するため、この発明のドア用警報装置としては、ドアとドア枠との隙間を塞ぐ閉塞部材と、この閉塞部材をドアに装着するための取付部材とから構成し、取付部材はドアの表裏面にそれぞれ装着可能な表面側部材と裏面側部材とで構成とする共に、これらの表面側部材と裏面側部材とを連結するための固定部材を設けており、さらに、上記取付部材には、不正解錠を検出する異常検知手段を具備し、当該異常検知手段からの検知信号によって作動する警報手段を設けていることを特徴としている。
【０００８】
上記構成のドア用警報装置であれば、ドアとドア枠との隙間を塞ぐ閉塞部材を有するので、この隙間からデッドボルトに対して不正に操作する行為を未然に防止することができる。
さらに、取付部材はドアの表裏面にそれぞれ装着可能な表面側部材と裏面側部材とで構成し、表面側部材と裏面側部材とを連結するための固定部材を設けているため、ドアとドア枠との隙間が僅かで、ドア端面にスペースの余裕が無い場合であっても、ドアの表面側と裏面側とを利用して当該警報装置を装着することができる。
【０００９】
また、取付部材には、不正解錠を検出する異常検知手段を具備し、当該異常検知手段からの検知信号によって作動する警報手段を設けているので、不正解錠の検出を確実に行うことができると共に、この掲出信号に基づいて警報手段を作動させることができるので、不正解錠によるドアの不正開放を未然に防止することができ、犯罪防止により一層高い効果を有する。
【００１０】
また、この発明のドア用警報装置は、異常検知手段が、板状部材に対して加えられる外圧による板状部材の変形を検出するセンサー、ドア錠に対する不正解錠時に発生する異常音、異常振動を検出するセンサー、ドア表裏面に装着する部材を連結固定する固定部材に対して、表面側部材にかかる負荷を検出するセンサーであっても良い。
これらのセンサーを用いることにより、ドアとドア枠との隙間を利用しての不正解錠や、ドア錠に対するピッキング等の不正手段を的確に検知して、不正解錠によるドアの不正開放を未然に防止することができる。
【００１１】
さらに請求項５記載のドア用警報装置では、不正解錠を検出する異常検知手段は、上記請求項２ないし４記載のセンサーのいずれかを単独で装備した構成、またはすべてのセンサーを装備した構成、あるいは複数のセンサーを組合せて装備した構成のいずれかを具備する警報装置を構成することができ、検知手段や検知目的に併せて最適な警報装置を提供することができる。
【発明を実施するための最良の形態】
【００１２】
以下では、この発明の実施の形態を、添付図面を参照して詳細に説明する。
図１はこの発明の実施形態を示す警報装置のドア外側の斜視図、図２はドア内側の斜視図、図３は断面図である。
この発明の実施の形態の一例としてのドア用警報装置１は、ドアＤとドア枠Ｆとの隙間を閉塞する閉塞部材として取付部材と一体化して形成した閉塞部１０を具備し、この閉塞部１０をドアＤに装着する取付部材２０とを具備している。
【００１３】
閉塞部１０は、ドアＤとドア枠Ｆとの隙間を閉塞可能な細幅の板状部材にて形成しており、ドア錠Ｌが具備するデッドボルト近傍に位置するようドアＤ端面寄りに装着するものである。
取付部材２０は、ドアＤの表裏面にそれぞれ装着するための表面側部材３０と裏面側部材４０とによって構成している。表面側部材３０は、図１及び図３に示すように、平板状部材にて構成していると共に、端部に上記閉塞部１０を一体状に設けており、この表面部材３０の内側には空間を設けて異常検知手段としてのセンサー６０と警報手段としての警報装置７０とを装備している。
【００１４】
表面側部材３０は、この実施の態様では、図３に示すように、ドア枠側の端部をＬ字状に曲折して設けた閉塞部１０としている。表面側部材３０の内側には、異常検知手段としてのセンサー６０を設けており、この例のセンサー６０は接触型のセンサーを設けていると共に、閉塞部１０近傍から略Ｚ字状の案内部材１１を介して、この案内部材１１の端部を当該センサー６０のセンサ部に近接させて配置している。したがって、閉塞部１０側が変形すると、図４のセンサーの作動を示す断面図に示すように、案内部材１１がセンサー６０に触れる状態となって、センサー６０が電気的にＯＮとなるように構成している。
【００１５】
裏面側部材４０は、表面側部材３０をドアＤに固定する部材として、図３の例では、箱状部材を具備すると共に内部に警報装置８０を組み込み可能に構成している。警報装置８０を組み込まない場合には、図５の例に示すように、裏面側部材４０をドアＤ内のみに設けることもでき、ドアＤ裏面側をフラットな構成とすることもできる。
図６は固定部材の分解斜視図であり、表面側部材３０と裏面側部材４０とを連結する固定部材５０としては、ドアＤの厚みに応じて表面側部材３０と裏面側部材４０との間隔を調整することができるように、ボルト状部材５１とこのボルト状部材と螺合可能な筒状部材５２とによって構成することができる。
【００１６】
固定部材５０は、厚みの異なる種々のドア厚に対応可能とするため、ボルト部材５１とボルト部材５１に螺合する筒状部材５２とによって構成している。ボルト部材５１は、裏面側部材４０側に取付けており、筒状部材５２は、表面側部材３０側に取付けている。したがって、当該固定部材５０を用いることにより、表面側部材３０と裏面側部材４０をドアＤに装着することができる。しかしながら、ドアＤは中空構造となっているものが多いので、上記固定部材５０の締結の際、締めすぎるとドアＤを変形させる虞がある。
【００１７】
このため、この実施の形態では、ある程度の締め付け力になった時に、当該固定部材５０によって締め付けを制限する構造を採用している。すなわち、ボルト部材５１は、その鍔部分に縦溝を形成しており、この縦溝に合致する内溝を有するカラー５１ａ内に配置する。カラー５１ａには、蓋５１ｂを取付けておき、蓋５１ｂを回すことにより、カラー５１ａを回転させることができる。
【００１８】
また、ボルト部材５１のねじ側にはワッシャ５１ｅを介してスプリング部材５１ｆを設け、これらの部材５１ａ〜５１ｆをホルダー５１ｇ内に収容すると共に、ホルダー５１ｇを裏面側部材４０に装着する。
そして、、ボルト部材５１を筒状部材５２に螺合させ、蓋５１ｂを介してカラー５１ａを回動させることによりボルト部材５１を締め付ける。ボルト部材５１を締め付けていくと、ボルト部材５１はスプリング部材５１ｆを変形させながらボルト部材５１の頭部がカラー５１ａの内溝をスライドして先端方向へ移動することとなる。上記スプリング部材５１ｆの変形量が規定値となったとき、ボルト部材５１の鍔部分がカラー５１ａの内溝から外れ、カラー５１ａの回転力がボルト部材５１に伝達しなくなる。このため、ボルト部材５１の締め付け量は、スプリング部材５１ｆの変形量によって規制できるので、締め付けすぎによるドアＤの変形を確実に防止することができる。
【００１９】
また、ドアＤの変形を防止する構成としては、図７に示すように、ドアＤ内を支持するための支持部材９０を設けることもできる。この支持部材９０は、外部材９１と内部材９２とからなり、内部材９２は外部材９１の内側に螺合するものであるが、これらの螺合は左ネジとなっている。この支持部材９０は、内部材９２の頭部にドアｄをかしめ等により固定すると共に、外部材９１内を回転させてドアＤ内側の厚みに合わせて調節したのち、固定ボルト９３を内部材９２に螺合させることにより、固定ボルト９３の回転力によって上記内部材９２が逆回転することもなく、内部材６２と外部材９１とによってドアＤの変形を確実に防止することができる。
【００２０】
次いで、センサー３０の構成について説明する。
センサー３０の構成としては、上記したように、閉塞部１０に対する外力に起因する変形を検出するセンサーの他、ドア錠に対して行われる不正解錠（いわゆるピッキング）時に発生する異常音を検出するセンサーや、この不正解錠時に発生する異常振動を検出するセンサーであっても良い。さらに、閉塞部１０に対する外圧のために、表面側部材３０が剥がされようとする力が固定部材５０に伝達して当該固定部材５０が引き出されるようになる負荷を検出するセンサーであっても良い。
【００２１】
これらのセンサーは、用途に応じて、それぞれ単独に設けることもできるが、検出精度を向上させるため、複数の機能を有するセンサーを組み合わせて設置したり、すべての機能を有するセンサーを設置したり、検知精度の程度によって種々のセンサーを組み合わせて設けることができる。
このようなセンサーであれば、バール等の工具による閉塞部１０に対する強硬手段の他、ピッキング時に発生する異常音や異常振動の検出することができる。このようなセンサーとして、例えばコンデンサマイク等を内蔵することにより、ピッキング時の特定の周波数を検出することができ、また、サムターン回しのためにドアに孔を空ける際に使用するドリル等の異常音、異常振動を検出することもできる。
【００２２】
これらのセンサー３０に電気的に接続される警報手段としては、種々の形態のものが採用でき、警報音や警報光を発するものの他、例えば、蛍光塗料噴出装置等も採用でき、これら複数の警報手段の組合せも可能である。
蛍光塗料噴出装置としては、蛍光塗料の保存タンク、吐出用ポンプ、パイプ等を具備するもので、センサー３０の感知により蛍光塗料を噴出させることができる。上記蛍光塗料噴出装置等の警報手段に対する電源としては、公知の内蔵用電源として、例えば、ボタン型電池等によって駆動させることができる他、太陽電池等を採用することもできる。
【００２３】
さらに、警報手段としては、赤色ランプを点滅させる構成や、音声装置として９０デシベル以上の音量を出すことができるサイレン等の構成を採用することもできる。さらに、噴出装置に内蔵する物質としては、臭気を含む気体等でも良く、また液体としては、上記のような蛍光塗料等の他、容易に噴出させることができ、しかも不審者に付着して残る物質であれば、種々の物質を採用することができる。
【００２４】
また、警報手段の例としては、検知部から無線信号を発するようにして、受信部を離れたところに設置して警報手段を別の場所にて作動させることができ、また、受信部には、警備会社への通報手段を内蔵させる構成や、携帯電話等への通報手段も採用することができる。受信部としては、電源コンセントに直付けする警報装置等も採用することができる。さらに、受信部には、ビデオカメラを接続してドア付近の映像を記録する構成も採用できる。
【００２５】
取付部材２０としては、上記した実施の形態の他、図８及び図９に示すように、ドア錠や把手等と一体に設ける構成のものも採用できる。この取付部材２０は、ドア錠や把手等を装着する部材を利用して表面側部材３０及び裏面側部材４０を装着することもでき、体裁良く装着することができる。
なお、ドアとドア枠との間にバール等の工具を挿入して無理矢理隙間を作る不正解錠の場合には、ドア枠側も変形して、デッドボルトがドア枠側の係止穴から外れる虞がある。このドア枠側の変形に対しては、図１０に示すように、ドア枠側の係止穴について、係止部が伸縮する構成を採用することができる。
【００２６】
この係止部１００は、係止穴に対して出入自在な可動部１０１を形成しておき、通常時には係止穴の内側に係止状態としておき、ドア枠が変形して係止状態が解除されたときにバネ１０２等の手段により飛び出す構成としたものである。
上記可動部１０１としては、蛇腹状とした構成のものも採用可能である。
これらの係止部１００を採用することにより、ドア枠が変形した場合であってもデッドボルトが係止部１００から外れにくくすることができ、より防犯効果が高くなる。
【図面の簡単な説明】
【００２７】
【図１】この発明の実施の態様を示すドア用警報装置のドア外側の斜視図である。
【図２】上記ドア用警報装置のドア内側の斜視図である。
【図３】上記ドア用警報装置の断面図である。
【図４】センサーの作動状態を示す断面図である。
【図５】ドア用警報装置の他の例を示す断面図である。
【図６】ドア用警報装置の固定部材の分解斜視図である。
【図７】支持部材の分解図である。
【図８】この発明のさらに他の実施の態様を示すドア用警報装置のドア外側の斜視図である。
【図９】上記ドア用警報装置のドア内側の斜視図である。
【図１０】ドア枠側の係止部の断面図である。
【符号の説明】
【００２８】
１        ドア用警報措置
１０      閉塞部
２０      取付部材
３０      表面側部材
４０      裏面側部材
５０      固定部材
６０      センサー
７０，８０  警報手段
Ｄ        ドア
Ｆ        ドア枠
Ｌ        ドア錠
【図１】
2005120653.tif 000003
【図２】
2005120653.tif 000004
【図３】
2005120653.tif 000005
【図４】
2005120653.tif 000006
【図５】
2005120653.tif 000007
【図６】
2005120653.tif 000008
【図７】
2005120653.tif 000009
【図８】
2005120653.tif 000010
【図９】
2005120653.tif 000011
【図１０】
2005120653.tif 000012